(57)【要約】【課題】受信機の機能に応じた放送プログラムに対する課金を実現する【解決手段】受信機（１００）は、受信したディジタル放送プログラムのオーディオおよび／またはビデオ・データストリームを復号する復号手段（１２４）と、その受信したディジタル放送プログラムの識別コードと、その復号されたオーディオおよび／またはビデオ・データストリームの品質を表すプロファイルとを格納する処理手段（１１２）と、を具えている。【選択図】　　　　図２
2004112261.tif 000002
【特許請求の範囲】
【請求項１】
受信したディジタル放送プログラムのオーディオおよび／またはビデオ・データストリームを復号する復号手段と、
前記受信したディジタル放送プログラムの識別コードと、前記復号されたオーディオおよび／またはビデオ・データストリームの品質を表すプロファイルとを格納する処理手段と、
を具える、受信機。
【請求項２】
オーディオおよび／またはビデオ・データストリームの品質を表す予め定められたプロファイルを格納する処理手段と、
受信したディジタル放送プログラムのディジタル信号をデスクランブルしてオーディオおよび／またはビデオ・データストリームを生成するデスクランブラと、
前記予め定められたプロファイルに従って、前記生成されたオーディオおよび／またはビデオ・データストリームを復号する復号手段と、
を具え、
前記処理手段は、さらに前記受信したディジタル放送プログラムの識別コードを格納するものである、
受信機。
【請求項３】
オーディオおよび／またはビデオ・データストリームの品質を表す予め定められたプロファイルを格納する処理手段と、
受信したディジタル放送プログラムのディジタル信号をデスクランブルしてオーディオおよび／またはビデオ・データストリームを生成するデスクランブラと、
前記予め定められたプロファイルに従って復号できない場合には実際に利用可能なプロファイルに従って、前記生成されたオーディオおよび／またはビデオ・データストリームを復号する復号手段と、
を具え、
前記処理手段は、前記受信したディジタル放送プログラムの識別コードと、前記復号手段によって復号されたオーディオおよび／またはビデオ信号の実際の品質を表す別のプロファイルとを格納するものである、
受信機。
【請求項４】
前記処理手段が前記受信機に組み込まれたＩＣカード上にある、請求項１乃至３のいずれかに記載の受信機。
【請求項５】
受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って、前記生成されたオーディオおよび／またはビデオ・データストリームを復号させるステップと、
前記受信したディジタル放送プログラムの識別コードと、前記生成されたオーディオおよび／またはビデオ・データストリームの品質を表す予め定められたプロファイルとを格納させるステップと、
を実行するよう動作可能なプログラム。
【請求項６】
受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って復号できない場合には実際に利用可能なプロファイルに従って、前記生成されたオーディオおよび／またはビデオ・データストリームを復号させるステップと、
前記受信したディジタル放送プログラムの識別コードと、前記復号されたオーディオおよび／またはビデオ信号の実際の品質を表す別のプロファイルとを格納させるステップと、
を実行するよう動作可能なプログラム。
【請求項７】
受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って、前記生成されたオーディオおよび／またはビデオ・データストリームを復号させるステップと、
を実行するよう動作可能なプログラム。
【請求項８】
情報処理装置において、ディジタル放送プログラムの視聴料金を計算する方法であって、
受信機において再生されたディジタル放送プログラムの識別コードと、前記ディジタル放送プログラムの再生されたオーディオおよび／またはビデオ信号の品質を表すプロファイルとを受け取るステップと、
前記プロファイルに応じて、前記再生されたディジタル放送プログラムの利用の計量値を計算するステップと、
を含む方法。
【発明の詳細な説明】
【０００１】
【発明の属する技術分野】
本発明は、有料ディジタル放送プログラムに対する受信機および課金に関し、特に、受信機のプロファイルに応じた有料ディジタル・テレビジョンおよびラジオ・プログラムの受信機およびそれに対する課金に関する。
【０００２】
【発明の背景】
例えば現在の有料衛星ディジタル・テレビジョン放送信号またはＣＳ放送信号の受信において、課金に関して、ＣＡＳ（ｃｏｎｄｉｔｉｏｎａｌ　ａｃｃｅｓｓ　ｓｙｓｔｅｍ）カードと呼ばれるスマートカード（ＩＣカード）が挿入されたテレビジョン受像機上のセットトップ・ボックスによって有料放送プログラム（番組）がデスクランブルされて再生されてディスプレイに提示されたときに、そのスマートカード内のメモリにその再生された有料放送プログラムの視聴情報が記録される。その視聴情報の記録は、モデムを介して公衆回線網（ＰＳＴＮ）上で視聴情報収集センタに送信される。その視聴情報の記録は収集センタで分別されて各放送業者に通知され、放送業者によってその視聴情報の記録に応じて受信契約者に課金される。スマートカードには、スクランブルされたテレビジョン放送プログラムをデスクランブル（復号、暗号解読）するのに用いられるデスクランブル鍵に関連する暗号解読鍵および固有のＩＤ等の情報が含まれている。
【０００３】
近い将来、日本で提供される地上波ディジタル・テレビジョン放送では、固定受信機、移動受信機および携帯受信機に放送プログラムが供給されるであろう。固定受信機、移動受信機および携帯受信機に対して、表示解像度等について次のような異なる３つの受信サービスまたはプロファイルが規定されている。
【０００４】
１．固定受信機用サービス
・高画質テレビジョン信号の受信
・マルチチャンネルでのテレビジョン信号の受信
・双方向サービス等用の多様なデータ放送信号の受信
受信機のタイプ
・屋外アンテナに結合された型受信機
・固定受信機としても利用可能な移動受信機
【０００５】
２．移動受信機用サービス
・現在のアナログ・テレビジョン放送信号の画質と同等な画質の標準テレビジョン信号の受信
・移動環境においても利用可能なデータ放送信号の受信
受信機のタイプ
・例えば自動車のような移動体に搭載された受信端末
・簡易アンテナを有する小型テレビジョン受像機
・固定受信機としても利用可能な移動受信機
【０００６】
３．携帯受信機用サービス
・テレビジョン信号の低画質または低ビットレートでの受信
・データ放送による簡易動画像　プラス　瞬間的画像に伴うオーディオの受信
・簡易マルチメディア符号化されたキャラクタと主に静止画像または簡易動画像との組み合わせのデータの放送信号の受信
受信機のタイプ
・小型携帯端末
・携帯電話機能とＰＤＡ機能を有する端末
・ＰＣカードによる受信機能を有するパーソナル・コンピュータ
【０００７】
現在の有料衛星ディジタル・テレビジョン放送のペイパービュー・サービスでは、スマートカードに格納された視聴情報の記録に基づいて受信契約者が課金される。一方、将来の地上波ディジタル・テレビジョン放送では、例えばノートブック・パーソナル・コンピュータ、ＰＤＡおよび移動電話機のような移動受信端末による放送プログラムの再生も広く行われると考えられるが、現在の有料衛星ディジタル・テレビジョン放送では、例えば低解像度のような低画質の移動端末で固定受信機用の放送プログラムを視聴した場合であっても、高解像度のテレビジョン装置等の受信機と同じ料金が課金される。視聴者は、移動受信端末での低いサービスに対して割高な料金を支払うことに躊躇するであろう。従って、移動受信端末での地上波ディジタル・テレビジョン放送信号の受信の普及が抑制されるであろう。
【０００８】
杉谷によって２００１年７月１０日付けで公開された特開２００１−１８７０５号公報（Ａ）（特許文献１）には、各受信者に対する同じディジタル放送番組の提供の回数を含む視聴履歴が記録され、その回数が多いほどその番組に対する料金が低くされることが開示されている。
【特許文献１】
特開２００１−１８７０５号公報
【０００９】
山田、他によって２００２年５月１７日付けで公開された特開２００２−１４２１５９号公報（Ａ）（特許文献２）には、個人情報蓄積カードが個人の好みの画面構成、画質、音質等の初期設定項目、およびプロフィールや視聴履歴等の個人情報が格納された個人情報蓄積カードがディジタル放送受信機に差し込まれて、ディジタル放送受信機によって個人用の番組が選択編成され、視聴者に対して個人用の番組が提示されることが開示されている。
【特許文献２】
特開２００２−１４２１５９号公報
【００１０】
発明者は、利用された受像機の解像度およびフレーム・レートのようなプロファイルを視聴情報の記録に含ませることによって、受像機の機能に応じた課金を提供することの必要性（ニーズ）を認識した。
【００１１】
本発明の目的は、受像機の機能に応じた放送プログラムに対する課金を実現することである。
【００１２】
本発明の目的は、受信機によって利用されたサービス品質に応じた放送プログラムに対する課金を実現することである。
【００１３】
【発明の概要】
本発明の１つの特徴によれば、受信機は、受信したディジタル放送プログラムのオーディオおよび／またはビデオ・データストリームを復号する復号手段と、その受信したディジタル放送プログラムの識別コードと、その復号されたオーディオおよび／またはビデオ・データストリームの品質を表すプロファイルとを格納する処理手段と、を具えている。
【００１４】
本発明の別の特徴によれば、受信機は、オーディオおよび／またはビデオ・データストリームの品質を表す予め定められたプロファイルを格納する処理手段と、受信したディジタル放送プログラムのディジタル信号をデスクランブルしてオーディオおよび／またはビデオ・データストリームを生成するデスクランブラと、その予め定められたプロファイルに従って、その生成されたオーディオおよび／またはビデオ・データストリームを復号する復号手段と、を具えている。その処理手段は、さらにその受信したディジタル放送プログラムの識別コードを格納する。
【００１５】
本発明のさらに別の特徴によれば、受信機は、オーディオおよび／またはビデオ・データストリームの品質を表す予め定められたプロファイルを格納する処理手段と、受信したディジタル放送プログラムのディジタル信号をデスクランブルしてオーディオおよび／またはビデオ・データストリームを生成するデスクランブラと、その予め定められたプロファイルに従って復号できない場合には実際に利用可能なプロファイルに従って、その生成されたオーディオおよび／またはビデオ・データストリームを復号する復号手段と、を具えている。その処理手段は、その受信したディジタル放送プログラムの識別コードと、その復号手段によって復号されたオーディオおよび／またはビデオ信号の実際の品質を表す別のプロファイルとを格納する。
【００１６】
受信機は、オーディオおよび／またはビデオ・データストリームの品質を表す予め定められたプロファイルを格納する処理手段と、受信したディジタル放送プログラムのディジタル信号をデスクランブルしてオーディオおよび／またはビデオ・データストリームを生成するデスクランブラと、その予め定められたプロファイルに従って、その生成されたオーディオおよび／またはビデオ・データストリームを復号する復号手段と、を具えていてもよい。その処理手段はその生成されたオーディオおよび／またはビデオ・データストリームの復号に関連する記録を格納する。
【００１７】
その処理手段は、前記受信機に組み込まれたＩＣカード上にあってもよい。
【００１８】
受信機用のプログラム（これは記憶媒体に格納されていてもよい）は、受信したディジタル放送プログラムのオーディオおよび／またはビデオ・データストリームを復号させるステップと、その受信したディジタル放送プログラムの識別コードと、その復号されたオーディオおよび／またはビデオ・データストリームの品質を表すプロファイルとを格納するステップと、を実行するよう動作可能であってもよい。
【００１９】
本発明のさらに別の特徴によれば、受信機用のプログラム（これは記憶媒体に格納されていてもよい）は、受信したディジタル放送プログラムのディジタル信号をデスクランブルしてオーディオおよび／またはビデオ・データストリームを生成させるステップと、オーディオおよび／またはビデオ・データストリームの品質を表す予め定められたプロファイルに従って、その生成されたオーディオおよび／またはビデオ・データストリームを復号させるステップと、そのディジタル放送プログラムの識別コードとその生成されたオーディオおよび／またはビデオ・データストリームの品質を表す予め定められたプロファイルとを格納させるステップと、を実行するよう動作可能である。
【００２０】
本発明のさらに別の特徴によれば、受信機用のプログラム（これは記憶媒体に格納されていてもよい）は、受信したディジタル放送プログラムのディジタル信号をデスクランブルしてオーディオおよび／またはビデオ・データストリームを生成させるステップと、オーディオおよび／またはビデオ・データストリームの品質を表す予め定められたプロファイルに従って復号できない場合には実際に利用可能なプロファイルに従って、その生成されたオーディオおよび／またはビデオ・データストリームを復号させるステップと、そのディジタル放送プログラムの識別コードと、その復号されたオーディオおよび／またはビデオ信号の実際の品質を表す別のプロファイルとを格納させるステップと、を実行するよう動作可能である。
【００２１】
本発明のさらに別の特徴によれば、受信機用のプログラム（これは記憶媒体に格納されていてもよい）は、受信したディジタル放送プログラムのディジタル信号をデスクランブルしてオーディオおよび／またはビデオ・データストリームを生成させるステップと、オーディオおよび／またはビデオ・データストリームの品質を表す予め定められたプロファイルに従って、その生成されたオーディオおよび／またはビデオ・データストリームを復号させるステップと、を実行するよう動作可能である。
【００２２】
本発明のさらに別の特徴によれば、情報処理装置において、ディジタル放送プログラムの視聴料金を計算する方法は、受信機において再生されたディジタル放送プログラムの識別コードと、そのディジタル放送プログラムの再生されたオーディオおよび／またはビデオ信号の品質を表すプロファイルとを受け取るステップと、そのプロファイルに応じて、その再生されたディジタル放送プログラムの利用の計量値を計算するステップと、を含む。
【００２３】
本発明によれば、受信機の機能に応じた放送プログラムに対する課金を実現でき、受信機によって利用されたサービス品質に応じた放送プログラムに対する課金を実現できる。
【００２４】
図面において、同様の要素および機能には同じ参照番号が付されている。
【００２５】
【００２６】
【発明の好ましい実施形態】
図１は、本発明の実施形態による、例えばテレビジョン受像機に結合されたセットトップ・ボックス、受信機能を有するパーソナル・コンピュータ（ＰＣ）、受信機能を有するＰＤＡまたは受信機能を有する移動（携帯）電話機のような地上波ディジタル・テレビジョン放送信号受信機１００の構成を示している。受信機１００は、内部バス８０を介して互いに結合された、ＣＰＵ１０２、ＲＯＭおよび／またはフラッシュ・メモリ１０４、ＲＡＭ１０６、デスクランブラ（暗号解読器）１１０、スマートカード（ＩＣカード）１１２、モデム１１６、地上波アンテナ（図示せず）に結合されたチューナカード１２２、復調器１２４、ＭＰＥＧ２−ＴＳデコーダ１２６、ＭＰＥＧ−ＡＶデコーダ１２８、オンスクリーン表示（ＯＳＤ）発生器１３０、ＰＣＭデコーダ１３２、ビープ音発生器１３４、および加算器１４２および１４４を具えている。スマートカード１１２は、ＣＰＵ、ＲＯＭ、ＥＥＰＲＯＭおよびＲＡＭを含んでいて、データの記憶および演算の機能を有するプロセッサである。内部バス８０には、スマートカード１１２の代わりに、スマートカード１１２内のＩＣチップと同等な内蔵ＩＣチップ１１３が結合されていてもよい。
【００２７】
チューナ１２２は、地上波アンテナから供給されたＲＦ信号を受信し、ユーザによって選択されたチャンネルに同調して所望のＲＦ信号を取り出して、その取り出されたＲＦ信号を復調器１２４に供給する。復調器１２４は、その取り出されたＲＦ信号を中間周波数（ＩＦ）信号にダウンコンバートし、そのＩＦ信号をベースバンド信号にダウンコンバートして、ベースバンドのスクランブルされていないまたはスクランブルされたトランスポート・ストリーム（ＴＳ）を生成する。
【００２８】
スクランブルされていないトランスポート・ストリームは、ＭＰＥＧ２−ＴＳデコーダ１２６に供給される。スクランブルされたトランスポート・ストリームは、先にデスクランブラ１１０に供給される。デスクランブラ１１０は、後で説明するような形態で取得されたデスクランブル鍵（キー）を用いて、デスクランブルされたトランスポート・ストリーム（ＴＳ）を生成し、それをＭＰＥＧ２−ＴＳデコーダ１２６に供給する。
【００２９】
ＭＰＥＧ２−ＴＳデコーダ１２６は、デマルチプレクサ（分離器）として動作して、トランスポート・ストリーム（ＴＳ）中のパケタイズド・エレメンタリ・ストリーム（ＰＥＳ）中のヘッダ内の識別子を識別して、分離されたパケタイズドまたは非パケタイズドのオーディオ・エレメンタリ・データストリームおよびビデオ・エレメンタリ・データストリーム（ＰＥＳまたはＥＳ）を取り出してＭＰＥＧ−ＡＶデコーダ１２８に供給する。ＭＰＥＧ−ＡＶデコーダ１２８は、オーディオおよびビデオ・データストリームを、ＲＡＭ１０６でバッファリングしながらデコードして、デコードされたオーディオおよびビデオ信号を加算器１４２および１４４のそれぞれの入力にそれぞれ供給する。
【００３０】
ＰＣＭデコーダ１３２は、データ放送信号に付随する音声データをデコードして音声信号を再生してその再生された音声信号を、加算器１４２の別の入力に供給する。ビープ音発生器１３４は、ＣＰＵ１０２からの音声コードに従ってビープ音信号を発生して加算器１４２のその別の入力に供給する。加算器１４２は、ＭＰＥＧ−ＡＶデコーダ１２８からのオーディオ信号と、ＰＣＭデコーダ１３２からの音声信号およびビープ音発生器１３４からのビープ音信号とを加算して、合成されたオーディオ信号をスピーカ（図示せず）に供給する。
【００３１】
ＯＳＤ発生器１３０は、オンスクリーン表示信号を発生してそれを加算器１４４の別の入力に供給する。加算器１４４は、デコーダ１２８からのビデオ信号とＯＳＤ発生器１３０からのＯＳＤ信号とを加算して、合成されたビデオ信号をビデオ・ディスプレイ（図示せず）に供給する。
【００３２】
図２は、本発明の実施形態による、復調器１２４からのスクランブルされていないまたはスクランブルされたトランスポート・ストリーム（ＴＳ）をデコードするためのブロック図を示している。図２は、ＲＯＭ１０４またはＲＡＭ１０６に格納されたプログラムに従ってＣＰＵ１０２によって制御される、復調器１２４からのスクランブルされていないまたはスクランブルされたトランスポート・ストリーム（ＴＳ）をデコードするためのフロー図と見ることもできる。
【００３３】
復調器１２４からのスクランブルされていないトランスポート・ストリーム（ＴＳ）はＭＰＥＧ２−ＴＳデコーダ１２６に供給される。復調器１２４からのスクランブルされたトランスポート・ストリームはデスクランブラ１１０に供給される。
【００３４】
デスクランブラ１１０は、スマートカード１１２からデスクランブル鍵Ｋｓを受け取って、その鍵に従ってスクランブルされたトランスポート・ストリーム（ＴＳ）をデスクランブルし、そのデスクランブルされたトランスポート・ストリーム（ＴＳ）をＭＰＥＧ２−ＴＳデコーダ１２６に供給する。
【００３５】
スクランブルされた放送プログラムは、そのプログラム用の暗号化されたデスクランブル鍵とともに放送される。ＭＰＥＧ２−ＴＳデコーダ１２６は復調器１２４からの暗号化されたデスクランブル鍵をスマートカード１１２に供給する。スマートカード１１２は、そのメモリ内の暗号解読鍵を用いて暗号化されたデスクランブル鍵を解読して、暗号解読されたデスクランブル鍵を生成してデスクランブラ１１０に供給する。デスクランブラ１１０は、そのデスクランブル鍵を用いてそのスクランブルされた放送プログラムのトランスポート・ストリーム（ＴＳ）をデスクランブルして、デスクランブルされたトランスポート・ストリーム（ＴＳ）をＭＰＥＧ２−ＴＳデコーダ１２６に供給する。特定の暗号化されたデスクランブル鍵は、特定のスマートカードによってのみ暗号解読されて、解読されたデスクランブル鍵が生成される。
【００３６】
ＭＰＥＧ２−ＴＳデコーダ１２６は、分離されたオーディオおよびビデオ・データストリーム（ＰＥＳまたはＥＳ）をＭＰＥＧ−ＡＶデコーダ１２８に供給する。
【００３７】
ＭＰＥＧ−ＡＶデコーダ１２８は、再生されたオーディオおよび／またはビデオの品質を表すプロファイルまたは受信機１００の性能を表すプロファイルをスマートカード１１２に供給する。スマートカード１１２は、現在デスクランブルまたは復号されている放送プログラムの識別とともにそのプロファイルをそのメモリ内に記録する。
【００３８】
そのプロファイルには、再生されたビデオ（画像）の解像度およびフレーム・レート、および再生されたオーディオの品質、例えばステレオ、モノラルまたは５．１チャンネル等が含まれている。代替構成として、そのプロファイルには、高精細度テレビジョン受像機、標準精細度テレビジョン受像機、パーソナル・コンピュータ、ＰＤＡおよび移動電話機のような受信機１００の識別が含まれていてもよい。受信機１００の識別は、その受信機に固有のビデオの解像度およびフレーム・レート、およびオーディオの品質を表す。
【００３９】
例えば、高精細度テレビジョン受像機の解像度は、地上波ディジタル・テレビジョン放送の規格に準拠するアスペクト比１６：９の１９２０×１０８０ピクセルである。例えば、標準精細度テレビジョン受像機の解像度は、地上波ディジタル・テレビジョン放送の規格に準拠するアスペクト比１６：９または４：３の７２０×４８０ピクセルである。例えば、パーソナル・コンピュータによるテレビジョン信号の再生における解像度は、８００×６００ピクセル、１０２４×７６８ピクセルおよび１２８０×１０２４ピクセル等である。例えば、ＰＤＡによるテレビジョン信号の再生における解像度は、２４０×３２０ピクセルおよび６４０×４８０ピクセル等である。例えば、移動電話機によるテレビジョン信号の再生における解像度は、１２０×１６０ピクセル、１７６×２２０ピクセルおよび２４０×３２０ピクセル等である。
【００４０】
図３は、地上波ディジタル放送ペイパービュー・サービスの受信契約者の受信機１００、視聴情報収集センタ２００および放送業者設備３００の間の視聴情報およびプロファイルの送信を示している。図１における受信機１００のスマートカード１１２は、デスクランブルまたは復号された放送プログラムの識別および再生におけるプロファイルをそのメモリ内に記録する。受信機１００のスマートカード１１２のメモリ内に記録された放送プログラムの識別およびプロファイルは、定期的にまたは各放送プログラムの再生後に、モデム１１６を介して公衆電話網上で情報収集センタ２００に送信される。放送プログラムの識別とそのプロファイルの記録は、収集センタ２００で分別されて各放送業者設備３００に送信される。放送業者３００の課金処理器３１０は、記憶装置３１２に格納されたプログラムに従って動作して、その放送プログラムの識別とそのプロファイルの記録を受信して、各受信契約者についてそのプロファイルに応じて放送プログラムの料金を計算し、月毎の料金の合計額をその受信契約者に課金する。最高の画質および／または音質のプロファイルに対しては、放送プログラムに対して最高の金額が請求される。次に高い画質および／または音質のプロファイルに対しては、放送プログラムに対して次に高い金額が請求される。最低の画質および／または音質のプロファイルに対しては、放送プログラムに対して最低の金額が請求される。
【００４１】
図４は、本発明の別の実施形態による、復調器１２４からのスクランブルされていないまたはスクランブルされたトランスポート・ストリーム（ＴＳ）をデコードするためのブロック図を示している。図４は、ＲＯＭ１０４またはＲＡＭ１０６に格納されたプログラムに従ってＣＰＵ１０２によって制御される、復調器１２４からのスクランブルされていないまたはスクランブルされたトランスポート・ストリーム（ＴＳ）をデコードするためのフロー図と見ることもできる。
【００４２】
図４では、受信機１００内にＩＣチップ１１３がスマートカード１１２の代わりに設けられている。受信機１００におけるオーディオおよび／またはビデオの品質、例えば解像度が固定されまたは予め定められている場合は、その品質を表す固定されたプロファイルを、予めＩＣチップ１１３に格納すればよい。代替構成として、その固定されたプロファイルを、受信機１００におけるメモリ１０４または１０６に予め格納してもよい。ＩＣチップ１１３は、デスクランブルまたは復号された放送プログラムの識別コードのみをそのメモリ内に記録する。ＭＰＥＧ−ＡＶデコーダ１２８は、プロファイルをスマートカード１１２に供給する必要がない。
【００４３】
ＩＣチップ１１３に予め格納された固定された解像度に加えて、受信機１００における再生のフレーム・レートを、視聴情報収集センタ２００が収集する必要がある場合は、ＭＰＥＧ−ＡＶデコーダ１２８は、再生されたフレーム・レートをスマートカード１１２に供給するようにしてもよい。図４における受信機１００のその他の動作は、図２の場合と同様であり、再び説明することはしない。
【００４４】
図５は、本発明のさらに別の実施形態による、復調器１２４からのスクランブルされていないまたはスクランブルされたトランスポート・ストリーム（ＴＳ）をデコードするためのブロック図を示している。図５は、ＲＯＭ１０４またはＲＡＭ１０６に格納されたプログラムに従ってＣＰＵ１０２によって制御される、復調器１２４からのスクランブルされていないまたはスクランブルされたトランスポート・ストリーム（ＴＳ）をデコードするためのフロー図と見ることもできる。
【００４５】
図５では、挿入可能なＣＡＳカードのようなスマートカード１１２内のメモリに契約情報として固定されたプロファイルが予め格納されている。スマートカード１１２は、ＭＰＥＧ−ＡＶデコーダ１２８に対して例えば利用可能な解像度およびフレーム・レートのようなプロファイルを指定し、ＭＰＥＧ−ＡＶデコーダ１２８によって実際に利用されたプロファイルを格納する。スマートカード１１２が挿入された受信機１００のＭＰＥＧ−ＡＶデコーダ１２８が、その固定されたプロファイルと同じまたはそれより低い品質のプロファイルで放送プログラムを再生しようとしたときに、スマートカード１１２はデスクランブラ１１０へのスクランブル鍵Ｋｓを供給する。
【００４６】
一方、スマートカード１１２が挿入された受信機１００のＭＰＥＧ−ＡＶデコーダ１２８が、その固定されたプロファイルより高い品質のプロファイルで放送プログラムを再生しようとしたとき、またはその固定されたプロファイルより高い品質のプロファイルでしか放送プログラムを再生できないときには、スマートカード１１２はデスクランブラ１１０へのスクランブル鍵Ｋｓの供給を抑止する。それによって、固定されたプロファイルより高い品質のプロファイルで放送プログラムが再生されることを防止する。
【００４７】
スマートカード１１２のメモリ内に記録された放送プログラムの識別とそのプロファイルは、図３の場合と同様に、定期的にまたは各放送プログラムの再生後に、モデム１１６を介して公衆電話網上で情報収集センタ２００に送信される。
【００４８】
図５における受信機１００のその他の動作は、図２および４の場合と同様であり、再び説明することはしない。
【００４９】
代替構成として、そのようなスマートカード１１２は、例えば１カ月のような所定期間だけまたは限定されたプログラム数だけまたは限定された金額だけ、または例えば５０時間のような限定された合計時間だけ、指定されたプロファイルに従って限定された放送プログラムを再生を可能とするプリペイド・カードであってもよい。この場合、スマートカード１１２は、デスクランブルまたは復号された放送プログラムの識別および利用された再生プロファイルをメモリに記録する。スマートカード１１２は、その放送プログラムの識別および利用された再生プロファイルに従って利用数および金額、残りの利用期間または残りの利用可能な放送プログラム数または指定された金額の残りをそのメモリ内に計算して記録する。１つのスマートカード１１２が１つの放送業者に対応づけられていて１つのスマートカード１１２の料金がその放送業者に支払われる場合、または１つのスマートカード１１２の料金が実際のプログラムの視聴に関係なく複数の放送業者によって適当に分けられる場合は、スマートカード１１２は、上述のような場合と違って、収集センタ２００に視聴情報の記録を送信しなくてもよく、収集センタ２００は放送業者３００に視聴情報の記録を送信しなくてもよい。
【００５０】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００５１】
（付記１）　受信したディジタル放送プログラムのオーディオおよび／またはビデオ・データストリームを復号する復号手段と、
前記受信したディジタル放送プログラムの識別コードと、前記復号されたオーディオおよび／またはビデオ・データストリームの品質を表すプロファイルとを格納する処理手段と、
を具える、受信機。
（付記２）　さらに、前記処理手段に格納された前記受信したディジタル放送プログラムの識別コードと、前記プロファイルとを別の装置に送信する手段を具える、付記１に記載の受信機。
（付記３）　さらに、前記受信したディジタル放送プログラムのディジタル信号を復調する復調手段と、
前記復調されたディジタル信号をデスクランブルして前記オーディオおよび／またはビデオ・データストリームを生成するデスクランブラと、
を具える、付記１または２に記載の受信機。
（付記４）　前記プロファイルは、再生された画像の解像度またはフレームレートの記述（データ）を含むものである、付記１乃至３のいずれかに記載の受信機。
（付記５）　前記プロファイルは、再生された音声のステレオ、モノラルまたは５．１チャンネルの記述（データ）を含むものである、付記１乃至４のいずれかに記載の受信機。
（付記６）　オーディオおよび／またはビデオ・データストリームの品質を表す予め定められたプロファイルを格納する処理手段と、
受信したディジタル放送プログラムのディジタル信号をデスクランブルしてオーディオおよび／またはビデオ・データストリームを生成するデスクランブラと、
前記予め定められたプロファイルに従って、前記生成されたオーディオおよび／またはビデオ・データストリームを復号する復号手段と、
を具え、
前記処理手段は、さらにその受信したディジタル放送プログラムの識別コードを格納するものである、
受信機。
（付記７）　前記処理手段に格納された前記受信したディジタル放送プログラムの識別コードと前記プロファイルとを別の装置に送信する手段を具える、付記６に記載の受信機。
（付記８）　前記処理手段は、前記生成されたオーディオおよび／またはビデオ・データストリームが復号されたときに、前記復号されたオーディオおよび／またはビデオ・データストリームの実際の品質を表す別のプロファイル・データを格納するものである、付記６または７に記載の受信機。
（付記９）　オーディオおよび／またはビデオ・データストリームの品質を表す予め定められたプロファイルを格納する処理手段と、
受信したディジタル放送プログラムのディジタル信号をデスクランブルしてオーディオおよび／またはビデオ・データストリームを生成するデスクランブラと、
前記予め定められたプロファイルに従って復号できない場合には実際に利用可能なプロファイルに従って、前記生成されたオーディオおよび／またはビデオ・データストリームを復号する復号手段と、
を具え、
前記処理手段は、前記受信したディジタル放送プログラムの識別コードと、前記復号手段によって復号されたオーディオおよび／またはビデオ信号の実際の品質を表す別のプロファイルとを格納するものである、
受信機。
（付記１０）　さらに、前記処理手段に格納された前記受信したディジタル放送プログラムの識別コードと、前記プロファイルとを別の装置に送信する手段を具える、付記９に記載の受信機。
（付記１１）　前記処理手段は、前記復号手段が前記予め定められたプロファイルに従って前記生成されたオーディオおよび／またはビデオ・データストリームを復号するとき、前記デスクランブラがデスクランブルを行うことを許容するものである、付記９または１０に記載の受信機。
（付記１２）　前記処理手段が前記受信機に組み込まれたスマートカード上にある、付記１乃至１１のいずれかに記載の受信機。
（付記１３）　課金処理手段を具えた装置であって、
前記課金処理手段は、受信機において再生されたディジタル放送プログラムの識別コードと、前記再生されたディジタル放送プログラムの再生されたオーディオおよび／またはビデオ信号の品質を表すプロファイルとを受け取り、前記プロファイルに応じて、前記再生されたディジタル放送プログラムの利用の計量値（メトリック）を計算するものである、
装置。
（付記１４）　記憶媒体に格納された受信機用のプログラムであって、
受信したディジタル放送プログラムのオーディオおよび／またはビデオ・データストリームを復号させるステップと、
前記受信したディジタル放送プログラムの識別コードと、前記復号されたオーディオおよび／またはビデオ・データストリームの品質を表すプロファイルとを格納するステップと、
を実行するよう動作可能なプログラム。
（付記１５）　記憶媒体に格納された受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って、前記生成されたオーディオおよび／またはビデオ・データストリームを復号させるステップと、
前記ディジタル放送プログラムの識別コードと、前記生成されたオーディオおよび／またはビデオ・データストリームの品質を表す予め定められたプロファイルとを格納させるステップと、
を実行するよう動作可能なプログラム。
（付記１６）　さらに、前記受信したディジタル放送プログラムの前記格納された識別コードと、前記プロファイルとを別の装置に送信させるステップを実行するよう動作可能な、付記１５に記載のプログラム。
（付記１７）　前記生成されたオーディオおよび／またはビデオ・データストリームが復号されたときに、前記復号されたオーディオおよび／またはビデオ・データストリームの実際の品質を表す別のプロファイル・データを格納するステップを実行するよう動作可能な、付記１５または１６に記載のプログラム。
（付記１８）　記憶媒体に格納された受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って復号できない場合には実際に利用可能なプロファイルに従って、前記生成されたオーディオおよび／またはビデオ・データストリームを復号させるステップと、
前記ディジタル放送プログラムの識別コードと、前記復号されたオーディオおよび／またはビデオ信号の実際の品質を表す別のプロファイルとを格納させるステップと、
を実行するよう動作可能なプログラム。
（付記１９）　さらに、前記受信したディジタル放送プログラムの前記格納された識別コードと、前記プロファイルとを別の装置に送信させるステップを実行するよう動作可能な、付記１８に記載のプログラム。
（付記２０）　受信機用のプログラムであって、
受信したディジタル放送プログラムのディジタル信号をデスクランブルしてオーディオおよび／またはビデオ・データストリームを生成させるステップと、
オーディオおよび／またはビデオ・データストリームの品質を表す予め定められたプロファイルに従って、前記生成されたオーディオおよび／またはビデオ・データストリームを復号させるステップと、
を実行するよう動作可能なプログラム。
（付記２１）　記憶媒体に格納された情報処理装置用のプログラムであって、
受信機において再生されたディジタル放送プログラムの識別コードと、前記ディジタル放送プログラムの再生されたオーディオおよび／またはビデオ信号の品質を表すプロファイルとを受け取るステップと、
前記プロファイルに応じて、前記再生されたディジタル放送プログラムの利用の計量値を計算するステップと、
を実行するよう動作可能なプログラム。
（付記２２）　情報処理装置において、ディジタル放送プログラムの視聴料金を計算する方法であって、
受信機において再生されたディジタル放送プログラムの識別コードと、前記ディジタル放送プログラムの再生されたオーディオおよび／またはビデオ信号の品質を表すプロファイルとを受け取るステップと、
前記プロファイルに応じて、前記再生されたディジタル放送プログラムの利用の計量値を計算するステップと、
を含む方法。
【００５２】
【発明の効果】
本発明は、前述の特徴によって、受像機の機能に応じた放送プログラムに対する課金を実現でき、受信機によって利用されたサービス品質に応じた放送プログラムに対する課金を実現できるという効果を奏する。
【図面の簡単な説明】
【図１】図１は、本発明の実施形態による、地上波ディジタル・テレビジョン放送信号受信機の構成を示している。
【図２】図２は、本発明の実施形態による、復調器からのスクランブルされていないまたはスクランブルされたトランスポート・ストリームをデコードする手順を示している。
【図３】図３は、地上波ディジタル放送ペイパービュー・サービスの受信契約者の受信機、視聴情報収集センタおよび放送業者設備の間の視聴情報およびプロファイルの送信を示している。
【図４】図４は、本発明の別の実施形態による、復調器からのスクランブルされていないまたはスクランブルされたトランスポート・ストリームをデコードする手順を示している。
【図５】図５は、本発明のさらに別の実施形態による、復調器からのスクランブルされていないまたはスクランブルされたトランスポート・ストリームをデコードする手順を示している。
【符号の説明】
１００　受信機
１１０　デスクランブラ
１１２　スマートカード
１２４　復調器
１２６　ＭＰＥＧ２−ＴＳデコーダ
１２８　ＭＰＥＧ−ＡＶデコーダ
【図１】
2004112261.tif 000003
【図２】
2004112261.tif 000004
【図３】
2004112261.tif 000005
【図４】
2004112261.tif 000006
【図５】
2004112261.tif 000007